(57)【特許請求の範囲】
【請求項１】
端末デバイスがランダムアクセスのための第１のランダムアクセス方式を確定することと、
前記第１のランダムアクセス方式に従って、前記端末デバイスがランダムアクセス過程を実行することとを含み、
前記端末デバイスがランダムアクセスのための第１のランダムアクセス方式を確定することは、
第６の対応関係及び前記端末デバイスとネットワークデバイスとの現在リンク品質値に基づいて、前記端末デバイスが前記第１のランダムアクセス方式を確定することを含み、
前記第６の対応関係は、少なくとも１つのリンク品質値と少なくとも１つのランダムアクセス方式との対応関係を示す
ことを特徴とするランダムアクセスのための方法。
【請求項２】
異なるランダムアクセス方式を利用して実行するランダムアクセス過程において、送受信されるメッセージの数及び／又は送受信されるメッセージに含まれる情報は、異なる
ことを特徴とする請求項１に記載のランダムアクセスのための方法。
【請求項３】
前記第１のランダムアクセス方式を利用して実行する前記ランダムアクセス過程は、４つのステップのランダムアクセス過程、又は、２つのステップのランダムアクセス過程である
ことを特徴とする請求項１又は２に記載のランダムアクセスのための方法。
【請求項４】
前記端末デバイスがランダムアクセスのための第１のランダムアクセス方式を確定することは、さらに、
予め設定された多種のランダムアクセス方式、
ランダム関数、
前記端末デバイスのレベル情報、
前記端末デバイスの伝送サービスのサービス情報、
前記ランダムアクセス過程のトリガ要因、
前記端末デバイスの現在の所在位置の情報、
前記端末デバイスの前記ランダムアクセスの実行時間、
前記端末デバイスの前記ランダムアクセス過程の実行に使用するリソース、
前記端末デバイスの前記ランダムアクセス過程の実行に使用する周波数領域リソースの所在の周波数帯、
前記端末デバイスのサポートする周波数帯、
前記端末デバイスの前記ランダムアクセス過程の実行に使用する基本パラメータセット、
過去のランダムアクセス過程の実行に使用するランダムアクセス方式、及び
過去のランダムアクセス過程の実行時に開始したタイマーが満了するかどうかのうちの少なくとも１つの情報に基づいて、前記端末デバイスが前記第１のランダムアクセス方式を確定することを含む
ことを特徴とする請求項１〜３のいずれか１項に記載のランダムアクセスのための方法。
【請求項５】
前記端末デバイスがランダムアクセスのための第１のランダムアクセス方式を確定することは、
前記予め設定された多種のランダムアクセス方式から、前記第１のランダムアクセス方法を確定することを含む
ことを特徴とする請求項４に記載のランダムアクセスのための方法。
【請求項６】
前記端末デバイスがランダムアクセスのための第１のランダムアクセス方式を確定することは、
前記端末デバイスが前記ランダム関数に基づいて、第１の確率値を取得することと、
第１の対応関係及び前記第１の確率値に基づいて、前記第１のランダムアクセス方式を確定することとを含み、
前記第１の対応関係は、少なくとも１つの確率範囲と少なくとも１つのランダムアクセス方式との対応関係を示し、
又は、
前記端末デバイスがランダムアクセスのための第１のランダムアクセス方式を確定することは、
前記端末デバイスが前記ランダム関数に基づいて、第２の確率値を取得することと、
第２の対応関係、前記第２の確率値及び前記端末デバイスのレベル情報が示すレベルに基づいて、前記第１のランダムアクセス方式を確定することとを含み、
前記第２の対応関係は、少なくとも１つの端末デバイスレベルと少なくとも１つの確率範囲と少なくとも１つのランダム方式との対応関係に用いられ、
又は、
前記端末デバイスがランダムアクセスのための第１のランダムアクセス方式を確定することは、
前記端末デバイスが前記ランダム関数に基づいて、第３の確率値を取得することと、
第３の対応関係、前記第３の確率値及び前記端末デバイスの伝送サービスのサービス情報が示すサービス品質レベルに基づいて、前記第１のランダムアクセス方式を確定することとを含み、
前記第２の対応関係は、少なくとも１つのサービス品質レベルと少なくとも１つの確率範囲と少なくとも１つのランダム方式との対応関係を示す
ことを特徴とする請求項４又は５に記載のランダムアクセスのための方法。
【請求項７】
前記端末デバイスの伝送サービスのサービス情報は、
前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム、前記伝送サービスが所属する論理チャンネルのうちの少なくとも１つを示す
ことを特徴とする請求項４又は５に記載のランダムアクセスのための方法。
【請求項８】
前記端末デバイスの伝送サービスのサービス情報がネットワークデバイスのページングメッセージに搬送される
ことを特徴とする請求項４、５又は７に記載のランダムアクセスのための方法。
【請求項９】
前記端末デバイスがランダムアクセスのための第１のランダムアクセス方式を確定することは、
前記端末デバイスが前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム及び前記伝送サービスが所属する論理チャンネルのうちの少なくとも１つと、第４の対応関係とに基づいて、前記第１のランダムアクセス方式を確定することを含み、
前記第４の対応関係は、少なくとも１つのサービス品質レベル、少なくとも１つの遅延要求、少なくとも１つのデータ量範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つのランダムアクセス方式との対応関係を示す
ことを特徴とする請求項８に記載のランダムアクセスのための方法。
【請求項１０】
前記ランダムアクセス過程のトリガ要因は、
前記端末デバイスが初期アクセスを要求すること、  
前記端末デバイスがアイドル状態から連続状態へ切り替えること、
前記端末デバイスが上り同期を要求すること、  
前記端末デバイスがネットワークデバイスに端末デバイス識別子を要求すること、
前記端末デバイスがネットワークデバイスにリソース請求を行うこと、  
前記端末デバイスがセルハンドオーバすること、
前記端末デバイスの無線リンク失敗が発生することのいずれかである
ことを特徴とする請求項４又は５に記載のランダムアクセスのための方法。
【請求項１１】
前記端末デバイスがランダムアクセスのための第１のランダムアクセス方式を確定することは、
前記端末デバイスが前記ランダムアクセス過程のトリガ要因及び第５の対応関係に基づいて、前記第１のランダムアクセス方式を確定することを含み、
前記第５の対応関係は、ランダムアクセス過程の少なくとも１つのトリガ要因と少なくとも１つのランダムアクセス方式との対応関係を示し、
又は、
前記端末デバイスがランダムアクセスのための第１のランダムアクセス方式を確定することは、
前記端末デバイスが第７の対応関係及び前記端末デバイスの現在の所在位置の情報が示す位置に基づいて、前記第１のランダムアクセス方式を確定することを含み、
前記第７の対応関係は、少なくとも１つの位置と少なくとも１つのランダムアクセス方式との対応関係を示し、
又は、
前記端末デバイスがランダムアクセスのための第１のランダムアクセス方式を確定することは、
前記端末デバイスが第８の対応関係及び前記端末デバイスの前記ランダムアクセスの実行時間に基づいて、前記第１のランダムアクセス方式を確定することを含み、
前記第８の対応関係は、少なくとも１つの時間範囲と少なくとも１つのランダムアクセス方式との対応関係を示し、
又は、
前記端末デバイスがランダムアクセスのための第１のランダムアクセス方式を確定することは、
前記端末デバイスが第９の対応関係及び前記端末デバイスの前記ランダムアクセス過程の実行に使用するリソースに基づいて、前記第１のランダムアクセス方式を確定することを含み、
前記第９の対応関係は、少なくとも１つのリソース範囲と少なくとも１つのランダムアクセス方式との対応関係を示し、
又は、
前記端末デバイスがランダムアクセスのための第１のランダムアクセス方式を確定することは、
前記端末デバイスが第１０の対応関係、及び前記端末デバイスのサポートする周波数帯又は前記端末デバイスの前記ランダムアクセス過程の実行に使用するリソースの所在の周波数帯に基づいて、前記第１のランダムアクセス方式を確定することを含み、
前記第１０の対応関係は、少なくとも１つの周波数帯と少なくとも１つのランダムアクセス方式との対応関係を示し、
又は、
前記端末デバイスがランダムアクセスのための第１のランダムアクセス方式を確定することは、
前記端末デバイスが第１１の対応関係及び前記端末デバイスの前記ランダムアクセス過程の実行に使用する基本パラメータセットに基づいて、前記第１のランダムアクセス方式を確定することを含み、
前記第１１の対応関係は、少なくとも１つの基本パラメータセットと少なくとも１つのランダムアクセス方式との対応関係を示し、
又は、
前記端末デバイスがランダムアクセスのための第１のランダムアクセス方式を確定することは、
第２のランダムアクセス方式を利用してランダムアクセス過程を所定の回数に行っても成功にアクセスしない場合、前記端末デバイスが前記第１のランダムアクセス方式を確定することを含み、
前記第１のランダムアクセス方式は、前記第２のランダムアクセス方式と異なり、
又は、
前記端末デバイスがランダムアクセスのための第１のランダムアクセス方式を確定することは、
過去のランダムアクセス過程の実行に開始した、ランダムアクセス方式を確定するためのタイマが満了しない場合、前記過去のランダムアクセス過程に使用した同じランダムアクセス方式を前記第１のランダムアクセス方式として確定し、又は、
過去のランダムアクセス過程の実行に開始した、ランダムアクセス方式を確定するためのタイマが満了した場合、前記過去のランダムアクセス過程に使用したランダムアクセス方式と異なるランダムアクセス方式を前記第１のランダムアクセス方式として確定することを含む
ことを特徴とする請求項４、５又は１０に記載のランダムアクセスのための方法。
【請求項１２】
前記過去のランダムアクセス過程の実行に開始した、ランダムアクセス過程を確定するためのタイマは、前回のランダムアクセス過程に開始したタイマであり、
前記方法は、さらに、
前記端末デバイスが各ランダムアクセス過程にランダムアクセス方式を確定するためのタイマを開始することを含む
ことを特徴とする請求項１１に記載のランダムアクセスのための方法。
【請求項１３】
前記端末デバイスが前回に開始した、ランダムアクセス方式を確定するためのタイマが満了したランダムアクセス過程において、次のランダムアクセス過程のランダムアクセス方式を確定するためのタイマが開始することを含む
ことを特徴とする請求項１２に記載のランダムアクセスのための方法。
【請求項１４】
前記第１のランダムアクセス方式に従って、前記端末デバイスがランダムアクセス過程を実行することは、
前記第１のランダムアクセス方式のために設定されたリソース、又は第２のランダムアクセス方式のために設定されたリソースを利用して、前記第１のランダムアクセス方式に従って、前記端末デバイスがランダムアクセス過程を実行することを含む
ことを特徴とする請求項１〜１３のいずれか１項に記載のランダムアクセスのための方法。
【請求項１５】
プロセッサ及びメモリを含み、
前記メモリは命令を記憶し、
前記プロセッサは、請求項１〜１４のいずれか１項に記載のランダムアクセスのための方法を実行する
ことを特徴とする端末デバイス。
【発明の詳細な説明】
【技術分野】
【０００１】
本願は、通信分野に関し、具体的に、ランダムアクセスのための方法及び端末デバイスに関する。
【背景技術】
【０００２】
ランダムアクセスは、セルラシステムに備える基本機能であり、端末デバイスとネットワークとの通信接続の確立を実現することができ、ランダムアクセスの成功率は、ランダムアクセスのプロセスが順調に完成するかどうかに依頼する。
【０００３】
無線通信技術の発展に伴い、無線環境がより複雑になり、より柔軟なランダムアクセス過程が必要である。
【０００４】
より柔軟なランダムアクセスをどのように実現することは、解決しようとする課題である。
【発明の概要】
【０００５】
本願の実施例は、より柔軟なランダムアクセスを実現することができるランダムアクセスのための方法及び端末デバイスを提供する。
【０００６】
第１の形態は、ランダムアクセスのための方法を提供し、
端末デバイスがランダムアクセスのための第１のランダムアクセス方式を確定することと、
前記第１のランダムアクセス方式に従って、前記端末デバイスがランダムアクセス過程を実行することとを含む。
【０００７】
第１の形態と結合し、その実現可能な方式において、異なるランダムアクセス方式を利用して実行するランダムアクセス過程において、送受信されるメッセージの数及び／又は送受信されるメッセージに含まれる情報は、異なる。
【０００８】
第１の形態又はその実現可能な方式と結合し、その他の実現可能な方式において、前記第１のランダムアクセス方式を利用して実行する前記ランダムアクセス過程は、４つのステップのランダムアクセス過程、又は、２つのステップのランダムアクセス過程である。
【０００９】
第１の形態又はその実現可能な方式と結合し、その他の実現可能な方式において、前記端末デバイスがランダムアクセスのための第１のランダムアクセス方式を確定することは、
予め設定された多種のランダムアクセス方式、
ランダム関数、
前記端末デバイスのレベル情報、
前記端末デバイスの伝送サービスのサービス情報、
前記ランダムアクセス過程のトリガ要因、
前記端末デバイスとネットワークデバイスとの現在リンク品質値、
前記端末デバイスの現在の所在位置の情報、
前記端末デバイスの前記ランダムアクセスの実行時間、
前記端末デバイスの前記ランダムアクセス過程の実行に使用するリソース、
前記端末デバイスの前記ランダムアクセス過程の実行に使用する周波数領域リソースの所在の周波数帯、
前記端末デバイスのサポートする周波数帯、
前記端末デバイスの前記ランダムアクセス過程の実行に使用する基本パラメータセット、
過去のランダムアクセス過程の実行に使用するランダムアクセス方式、及び
過去のランダムアクセス過程の実行時に開始したタイマが満了するかどうかのうちの少なくとも１つの情報に基づいて、前記端末デバイスが前記第１のランダム方式を確定することを含む。
【００１０】
第１の形態又はその実現可能な方式と結合し、その他の実現可能な方式において、前記端末デバイスがランダムアクセスのための第１のランダムアクセス方式を確定することは、
前記予め設定された多種のランダムアクセス方式から、前記第１のランダムアクセス方法を確定することを含む。
【００１１】
第１の形態又はその実現可能な方式と結合し、その他の実現可能な方式において、前記端末デバイスがランダムアクセスのための第１のランダムアクセス方式を確定することは、
前記端末デバイスが前記ランダム関数に基づいて、第１の確率値を取得することと、
第１の対応関係及び前記第１の確率値に基づいて、前記第１のランダムアクセス方式を確定することとを含み、ここで、前記第１の対応関係は、少なくとも１つの確率範囲と少なくとも１つのランダムアクセス方式との対応関係を示す。
【００１２】
第１の形態又はその実現可能な方式と結合し、その他の実現可能な方式において、前記端末デバイスがランダムアクセスのための第１のランダムアクセス方式を確定することは、
前記端末デバイスが前記ランダム関数に基づいて、第２の確率値を取得することと、
第２の対応関係、前記第２の確率値及び前記端末デバイスのレベル情報が示すレベルに基づいて、前記第１のランダムアクセス方式を確定することとを含み、
ここで、前記第２の対応関係は、少なくとも１つの端末デバイスレベルと少なくとも１つの確率範囲と少なくとも１つのランダム方式との対応関係に用いられる。
【００１３】
第１の形態又はその実現可能な方式と結合し、その他の実現可能な方式において、前記端末デバイスがランダムアクセスのための第１のランダムアクセス方式を確定することは、
前記端末デバイスが前記ランダム関数に基づいて、第３の確率値を取得することと、
第３の対応関係、前記第３の確率値及び前記端末デバイスの伝送サービスのサービス情報が示すサービス品質レベルに基づいて、前記第１のランダムアクセス方式を確定することとを含み、ここで、前記第２の対応関係は、少なくとも１つのサービス品質レベルと少なくとも１つの確率範囲と少なくとも１つのランダム方式との対応関係を示す。
【００１４】
第１の形態又はその実現可能な方式と結合し、その他の実現可能な方式において、前記端末デバイスの伝送サービスのサービス情報は、
前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム、前記伝送サービスが所属する論理チャンネルのうちの少なくとも１つを示す。
【００１５】
第１の形態又はその実現可能な方式と結合し、その他の実現可能な方式において、前記端末デバイスの伝送サービスのサービス情報がネットワークデバイスのページングメッセージに搬送される。
【００１６】
第１の形態又はその実現可能な方式と結合し、その他の実現可能な方式において、前記端末デバイスがランダムアクセスのための第１のランダムアクセス方式を確定することは、
前記端末デバイスが前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム及び前記伝送サービスが所属する論理チャンネルのうちの少なくとも１つと、第４の対応関係とに基づいて、前記第１のランダムアクセス方式を確定することを含み、
ここで、前記第４の対応関係は、少なくとも１つのサービス品質レベル、少なくとも１つの遅延要求、少なくとも１つのデータ量範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つのランダムアクセス方式との対応関係を示す。
【００１７】
第１の形態又はその実現可能な方式と結合し、その他の実現可能な方式において、前記ランダムアクセス過程のトリガ要因は、
前記端末デバイスが初期アクセスを要求すること、 
前記端末デバイスがアイドル状態から連続状態へ切り替えること、
前記端末デバイスが上り同期を要求すること、 
前記端末デバイスがネットワークデバイスに端末デバイス識別子を要求すること、
前記端末デバイスがネットワークデバイスにリソース請求を行うこと、 
前記端末デバイスがセルハンドオーバすること、
前記端末デバイスの無線リンク失敗が発生することのいずれかである。
【００１８】
第１の形態又はその実現可能な方式と結合し、その他の実現可能な方式において、前記端末デバイスがランダムアクセスのための第１の基本パラメータセットを確定することは、
前記端末デバイスが前記ランダムアクセス過程のトリガ要因及び第５の対応関係に基づいて、前記第１のランダムアクセス方式を確定することを含み、ここで、前記第５の対応関係は、ランダムアクセス過程の少なくとも１つのトリガ要因と少なくとも１つのランダムアクセス方式との対応関係を示す。
【００１９】
第１の形態又はその実現可能な方式と結合し、その他の実現可能な方式において、前記端末デバイスがランダムアクセスのための第１のランダムアクセス方式を確定することは、
前記端末デバイスが第６の対応関係、及び前記端末デバイスとネットワークデバイスとの現在リンク品質値に基づいて、前記第１のランダムアクセス方式を確定することを含み、
ここで、前記第６の対応関係は、少なくとも１つのリンク品質値と少なくとも１つのランダムアクセス方式との対応関係を示す。
【００２０】
第１の形態又はその実現可能な方式と結合し、その他の実現可能な方式において、前記端末デバイスがランダムアクセスのための第１のランダムアクセス方式を確定することは、
前記端末デバイスが第７の対応関係及び前記端末デバイスの現在の所在位置の情報が示す位置に基づいて、前記第１のランダムアクセス方式を確定することを含み、
ここで、前記第７の対応関係は、少なくとも１つの位置と少なくとも１つのランダムアクセス方式との対応関係を示す。
【００２１】
第１の形態又はその実現可能な方式と結合し、その他の実現可能な方式において、前記端末デバイスの現在の所在位置の情報は、前記端末デバイスの現在所在するセル、トラッキングエリア、ページングエリア又はサービスエリアを示す。
【００２２】
第１の形態又はその実現可能な方式と結合し、その他の実現可能な方式において、前記端末デバイスがランダムアクセスのための第１のランダムアクセス方式を確定することは、
前記端末デバイスが第８の対応関係及び前記端末デバイスの前記ランダムアクセスの実行時間に基づいて、前記第１のランダムアクセス方式を確定することを含み、
ここで、前記第８の対応関係は、少なくとも１つの時間範囲と少なくとも１つのランダムアクセス方式との対応関係を示す。
【００２３】
第１の形態又はその実現可能な方式と結合し、その他の実現可能な方式において、前記端末デバイスがランダムアクセスのための第１のランダムアクセス方式を確定することは、
前記端末デバイスが第９の対応関係及び前記端末デバイスの前記ランダムアクセス過程の実行に使用するリソースに基づいて、前記第１のランダムアクセス方式を確定することを含み、
ここで、前記第９の対応関係は、少なくとも１つのリソース範囲と少なくとも１つのランダムアクセス方式との対応関係を示す。
【００２４】
第１の形態又はその実現可能な方式と結合し、その他の実現可能な方式において、前記端末デバイスがランダムアクセスのための第１のランダムアクセス方式を確定することは、
前記端末デバイスが第１０の対応関係、及び前記端末デバイスのサポートする周波数帯又は前記端末デバイスの前記ランダムアクセス過程の実行に使用するリソースの所在の周波数帯に基づいて、前記第１のランダムアクセス方式を確定することを含み、
ここで、前記第１０の対応関係は、少なくとも１つの周波数帯と少なくとも１つのランダムアクセス方式との対応関係を示す。
【００２５】
第１の形態又はその実現可能な方式と結合し、その他の実現可能な方式において、前記端末デバイスがランダムアクセスのための第１のランダムアクセス方式を確定することは、
前記端末デバイスが第１１の対応関係及び前記端末デバイスの前記ランダムアクセス過程の実行に使用する基本パラメータセットに基づいて、前記第１のランダムアクセス方式を確定することを含み、
ここで、前記第１１の対応関係は、少なくとも１つの基本パラメータセットと少なくとも１つのランダムアクセス方式との対応関係を示す。
【００２６】
第１の形態又はその実現可能な方式と結合し、その他の実現可能な方式において、前記端末デバイスがランダムアクセスのための第１のランダムアクセス方式を確定することは、
第２のランダムアクセス方式を利用してランダムアクセス過程を所定の回数に行っても成功にアクセスしない場合、前記端末デバイスが前記第１のランダムアクセス方式を確定することを含み、前記第１のランダムアクセス方式は、前記第２のランダムアクセス方式と異なる。
【００２７】
第１の形態又はその実現可能な方式と結合し、その他の実現可能な方式において、前記端末デバイスがランダムアクセスのための第１のランダムアクセス方式を確定することは、
過去のランダムアクセス過程の実行に開始した、ランダムアクセス方式を確定するためのタイマが満了しない場合、前記過去のランダムアクセス過程に使用した同じランダムアクセス方式を前記第１のランダムアクセス方式として確定し、又は、
過去のランダムアクセス過程の実行に開始した、ランダムアクセス方式を確定するためのタイマが満了した場合、前記過去のランダムアクセス過程に使用したランダムアクセス方式と異なるランダムアクセス方式を前記第１のランダムアクセス方式として確定することを含む。
【００２８】
第１の形態又はその実現可能な方式と結合し、その他の実現可能な方式において、前記過去のランダムアクセス過程の実行に開始した、ランダムアクセス過程を確定するためのタイマは、前回のランダムアクセス過程に開始したタイマであり、前記方法は、さらに、
前記端末デバイスが各ランダムアクセス過程にランダムアクセス方式を確定するためのタイマを開始することを含む。
【００２９】
第１の形態又はその実現可能な方式と結合し、その他の実現可能な方式において、前記方法は、さらに、
前記端末デバイスが前回に開始した、ランダムアクセス方式を確定するためのタイマが満了したランダムアクセス過程において、次のランダムアクセス過程のランダムアクセス方式を確定するためのタイマが開始することを含む。
【００３０】
第１の形態又はその実現可能な方式と結合し、その他の実現可能な方式において、前記第１のランダムアクセス方式に従って、前記端末デバイスがランダムアクセス過程を実行することは、
前記第１のランダムアクセス方式のために設定されたリソース、又は第２のランダムアクセス方式のために設定されたリソースを利用して、前記第１のランダムアクセス方式に従って、前記端末デバイスがランダムアクセス過程を実行することを含む。
【００３１】
第２の形態は、第１の形態又はその選択可能な実現方式の方法を実行するユニットを含む端末デバイスを提供する。
【００３２】
第３の形態は、メモリ及びプロセッサを含む端末デバイスを提供し、当該メモリは、命令を記憶し、当該メモリは、メモリに記憶された命令を呼び出して第１の形態又はその選択可能な実現方式の方法を実行する。
【００３３】
第４の形態は、コンピュータ読み取り可能な記憶媒体を提供し、前記コンピュータ読み取り可能な記憶媒体は、端末デバイスが実行するプログラムコードを記憶し、前記プログラムコードは、第１の形態又はその選択可能な実現方式の方法を実行するための命令を含む。
【００３４】
第５の形態は、システムチップを提供し、当該システムチップは、入力インタフェース、出力インタフェース、プロセッサ及びメモリを含み、当該プロセッサは、当該メモリ内のコードを実行し、当該コードが実行される場合、当該プロセッサは、第１の形態又はその選択可能な実現方式の方法を実現する。
【００３５】
そして、本願の実施例において、端末デバイスは、ランダムアクセス過程を行う時に、ランダムアクセス方式を選択することができ、ランダムアクセスを柔軟に実行することができる。
【図面の簡単な説明】
【００３６】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における応用シーンの図である。
【図２】本願の実施例におけるランダムアクセスのための方法のフローチャートである。
【図３】本願の実施例における４つのステップのランダムアクセス過程のフローチャートである。
【図４】本願の実施例における２つのステップのランダムアクセス過程のフローチャートである。
【図５】本願の実施例における端末デバイスのブロック図である。
【図６】本願の実施例における端末デバイスのブロック図である。
【図７】本願の実施例におけるシステムチップのブロック図である。
【発明を実施するための形態】
【００３７】
以下に本発明の実施例の図面を組み合わせながら、本発明の実施例に係る技術的解決策を明確に、全面的に説明し、明らかに、説明した実施例は本発明の一部の実施例に過ぎず、全ての実施例ではない。本発明の実施例に基づき、当業者が創造的な労力を要せずに得た他の実施例は、全て本発明の保護範囲に属する。
【００３８】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時間分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、又は未来の５Ｇシステムなどに応用されることができる。
【００３９】
図１は本発明の実施例に応用される無線通信システム１００を示す。当該無線通信システム１００は、ネットワークデバイス１１０を含む。ネットワークデバイス１１０は、端末デバイスに接続する通信デバイスであっても良い。各ネットワークデバイス１００は、特定の地理エリアに通信カバーを提供し、さらに、当該カバーエリア内にある端末デバイス（例えばＵＥ）と通信することができる。当該ネットワークデバイス１００は、ＧＳＭシステム又はＣＤＭＡシステムの基地局（ＢＴＳ：Ｂａｓｅ  Ｔｒａｎｓｃｅｉｖｅｒ  Ｓｔａｔｉｏｎ）、ＷＣＤＭＡシステムの基地局（ＮｏｄｅＢ）、ＬＴＥシステムの基地局（Ｅｖｏｌｕｔｉｏｎａｌ  Ｎｏｄｅ  Ｂ、ｅＮＢ又はｅＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）の無線コントローラ、中継局、アクセスポイント、車載デバイス、ウェアラブルデバイス及び将来の５Ｇネットワークにおけるネットワーク側デバイス、又は将来進化型公衆移動通信網ＰＬＭＮおけるネットワークデバイスなどであっても良い。
【００４０】
当該無線通信システム１００は、さらに、ネットワークデバイス１１０のカバー範囲にある少なくとも１つの端末デバイス１２０を含む。当該端末デバイス１２０は、移動又は固定されたものである。当該端末デバイス１２０は、アクセス端末、ユーザー装置（ＵＥ：Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置と指しても良い。アクセス端末はセルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末デバイス、又は将来進化型公衆移動通信網（ＰＬＭＮ：Ｐｕｂｌｉｃ  Ｌａｎｄ  Ｍｏｂｉｌｅ  Ｎｅｔｗｏｒｋ）おける端末デバイスなどであっても良い。
【００４１】
選択可能で、５Ｇシステム又はネットワークは、新しいラジオ（ＮＲ：ＮｅｗＲａｄｉｏ）システム又はネットワークとも呼ぶ。
【００４２】
図１は、１つのネットワークデバイス及び２つの端末デバイスを示し、選択可能で、当該無線通信システム１００は、複数のネットワークデバイスを含み、各ネットワークデバイスのカバー範囲に他の数の端末デバイスがあるが、本願の実施例はこれに限定しない。
【００４３】
選択可能で、当該無線通信システム１００は、さらに、ネットワークコントローラ、ビリティマネッジメントエンティティ他のネットワークエンティティを含むが、本願の実施例はこれを限定しない。
【００４４】
なお、本明細書に記載される「システム」及び「ネットワーク」という単語は交換可能に使用される。本明細書に記載される「及び／又は」は、関連対象の関連関係を説明するものに過ぎず、以下の３つの関係を示す。例えば、Ａ及び／又はＢは、Ａが単独存在すること、ＡとＢが同時に存在すること、及びＢが単独存在することそれぞれ示す。また、本明細書に記載される「／」は、通常に、前後の関連対象の「又は」の関係を示す。
【００４５】
図２は本願の実施例におけるランダムアクセスのための方法２００のフローチャートである。当該方法は、図１の端末デバイスが実行しても良い。
【００４６】
図２に示すように、当該方法２００は、２１０及び２２０を含む。
【００４７】
２１０において、端末デバイスがランダムアクセスのための第１のランダムアクセス方式を確定する。
【００４８】
２２０において、前記第１のランダムアクセス方式に従って、前記端末デバイスがランダムアクセス過程を実行する。
【００４９】
選択可能で、異なるランダムアクセス方式を利用して実行するランダムアクセス過程において、送受信されるメッセージの数及び／又は送受信されるメッセージに含まれる情報は、異なる。
【００５０】
選択可能で、前記第１のランダムアクセス方式を利用して実行する前記ランダムアクセス過程は、４つのステップのランダムアクセス過程、又は、２つのステップのランダムアクセス過程である。
【００５１】
以下、図３に示す方法３００及び図４に示す方法４００を参照し、本願の実施例の４つのステップのランダムアクセス過程及び２つのステップのランダムアクセス過程を説明する。
【００５２】
図３に示すように、当該方法３００に示す４つのステップのランダムアクセス過程は、以下の内容を含む。
【００５３】
３１０において、端末デバイスは、ランダムアクセスチャンネルでＭＳＧ１を送信し、ＭＳＧ１は、ランダムアクセスプリアンブルを含むメッセージである。
【００５４】
３２０において、ネットワークデバイスは、ＭＳＧ１を受信した後、下り共通チャンネル（ＤＬ−ＳＣＨ：Ｄｏｗｎｌｉｎｋ  ｓｈａｒｅ  ｃｈａｎｎｅｌ）でＭＳＧ２を送信し、ここで、ＭＳＧ２は、ランダムアクセス応答（ＲＡＲ：Ｒａｎｄｏｍ  Ａｃｃｅｓｓ  Ｒｅｓｐｏｎｓｅ）であり、ＲＡＲ応答にＴＡ調整及び上り許可指令及び一時セル無線ネットワーク一時識別子（Ｔ−ＣＲＮＴＩ：Ｔｅｍｐｏｒａｒｙ  Ｃｅｌｌ  Ｒａｄｉｏ  Ｎｅｔｗｏｒｋ  Ｔｅｍｐｏｒａｒｙ Ｉｄｅｎｔｉｆｉｅｒ）即ちＣＲＮＴＩが含まれる。
【００５５】
選択可能で、ＭＳＧ２メッセージは、ネットワークデバイスのメディアアクセス制御（ＭＡＣ：Ｍｅｄｉａ  Ａｃｃｅｓｓ  Ｃｏｎｔｒｏｌ）層に生成され、ＤＬ＿ＳＣＨにより搬送され、１つのＭＳＧ２メッセージが複数の端末デバイスのランダムアクセス請求応答に対応することができる。
【００５６】
選択可能で、ネットワークデバイスは、物理下り制御チャンネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を利用してＭＳＧ２をスケジューリングし、ランダムアクセス無線ネットワーク一時識別子（ＲＡ−ＲＮＴＩ：Ｒａｎｄｏｍ  Ａｃｃｅｓｓ  Ｒａｄｉｏ  Ｎｅｔｗｏｒｋ  Ｔｅｍｐｏｒａｒｙ  Ｉｄｅｎｔｉｆｉｅｒ）でアドレス指定し、ＲＡ−ＲＮＴＩは、ＭＳＧ１が搬送される物理ランダムアクセスチャンネル（ＰＲＡＣＨ：Ｐｈｙｓｉｃａｌ  Ｒａｎｄｏｍ  Ａｃｃｅｓｓ  Ｃｈａｎｎｅｌ）時間周波数リソース位置により確定される。
【００５７】
選択可能で、ＭＳＧ２は、上り伝送タイミング進み量、ＭＳＧ３に割り当てる上りリソース、一時Ｃ−ＲＮＴＩ等を含む。
【００５８】
３３０において、端末デバイスは、ＭＳＧ２を受信した後、自分に属するＲＡＲメッセージであるかどうかを判断し、自分に属するＲＡＲメッセージであると判定する場合、ＭＳＧ３を送信し、当該ＭＳＧ−３にはＵＥ−ＩＤが含まれ、ここで、当該ＭＳＧ３について、ＵＥのＲＲＣ層に生成されたＲＲＣ  Ｃｏｎｎｅｃｔｉｏｎ  Ｒｅｑｕｅｓｔを送信し、当該ＲＲＣ接続要求を上り共通チャンネル（ＵＬ−ＳＣＨ：Ｕｐｌｉｎｋ  Ｓｈａｒｅｄ  Ｃｈａｎｎｅｌ）の共通制御チャンネル（ＣＣＣＨ：Ｃｏｍｍｏｎ  Ｃｏｎｔｒｏｌ  Ｃｈａｎｎｅｌ）にマッピングして送信してもよい。
【００５９】
選択可能で、図３の方法において、ＭＳＧ１とＭＳＧ２とは、低レイヤメッセージであり、レイヤ３（Ｌ３：Ｌａｙｅｒ３）で見えなく、シグナリング追跡の場合、端末デバイスのアクセスの一番目のシグナリングは、ＭＳＧ３であってもよい。
【００６０】
選択可能で、ネットワークデバイスは、ＭＳＧ２を受信した後、それに割り当てる上りリソースにおいてＭＳＧ３を伝送する。
【００６１】
３４０において、ネットワークデバイスは、ＭＳＧ３メッセージを受信した後、ＭＳＧ４を送信し、ここで、当該ＭＳＧ４にはＵＥ−ＩＤが含まれ、ＭＳＧ４につて、ＲＲＣ競合解決（ＲＲＣ  Ｃｏｎｔｅｎｔｉｏｎ  Ｒｅｓｏｌｕｔｉｏｎ）メッセージを送信し、当該メッセージは、ネットワークデバイスのＲＲＣにより発生し、ＤＬ−ＳＣＨでのＣＣＣＨ又は専用制御チャンネル（ＤＣＣＨ：Ｄｅｄｉｃａｔｅｄ  Ｃｏｎｔｒｏｌ  Ｃｈａｎｎｅｌ）にマッチングして送信してもよい。端末デバイスは、ＭＳＧ４を受信した後、それに自分のＵＥ−ＩＤが含まれる場合、ランダムアクセスが成功すると判定する。
【００６２】
選択可能で、本願の実施例において、異なるシーンに対して、ランダムアクセス過程内の各メッセージに含まれるものは、異なってもよい。
【００６３】
例えば、端末デバイスの初期アクセスの場合、ＭＳＧ３にはＲＲＣ層に生成されたＲＲＣ接続要求が含まれ、ＵＥのＳ−ＴＭＳＩ又はランダム数も含まれる。
【００６４】
例えば、接続再確立の場合、ＭＳＧ３には、ＲＲＣ層に生成したＲＲＣ接続再確立要求、Ｃ−ＲＮＴＩ及びＰＣＩが含まれる。
【００６５】
例えば、端末デバイスのセルハンドオーバの場合、ＭＳＧ３メッセージには、ＲＲＣ層に生成されたＲＲＣハンドオーバ完了メッセージ及びＵＥのＣ−ＲＮＴＩが含まれる。
【００６６】
例えば、上り／下りデータが到達する場合、ＭＳＧ３は端末デバイスのＣ−ＲＮＴＩを伝送してもよい。
【００６７】
以下の表１は、シーンにより、競合判定、スケジューリング及びＣ−ＲＮＴＩを説明する。
【表１】
0006946438.tif 000002
【００６８】
なお、図３に示す方法３００は、４つのステップのランダムアクセス過程の１つの具体的な実現方式であるが、本願の保護範囲を限定しない。
【００６９】
図４は本願の実施例における２つのステップのランダムアクセス過程の模式図である。図４に示すように、このランダムアクセス方法４００は、以下の内容を含む。
【００７０】
４１０において、端末デバイスがＭＳＧ１を送信し、当該ＭＳＧ１には、ランダムアクセスプリアンブルが含まれ、また、前記端末デバイスの識別子情報、前記端末デバイスの送信するデータバッファー状態情報及び接続確立要求情報が含まれる。
【００７１】
４２０において、ネットワークデバイスは、端末デバイスにＭＳＧ２を送信し、当該ＭＳＧ２には、ＴＡ調整、上り許可指令及びＴ−ＣＲＮＴＩが含み、また、端末デバイスの識別子情報及び接続確立応答情報の少なくとも１つが含まれる。
【００７２】
なお、図４に示す方法４００は、２つのステップのランダムアクセス過程の１つの実現方式であり、本願の保護範囲を限定しない。
【００７３】
なお、本願の実施例において、ランダムアクセス方式は、ランダムアクセス過程に含まれるステップによって分ける以外、他の方式によって分けてもよく、本願の実施例はこれを限定しない。
【００７４】
そして、本願の実施例において、端末デバイスがランダムアクセス過程を行う場合、ランダムアクセス方式を選択することができ、ランダムアクセスを柔軟に実行することができる。
【００７５】
選択可能で、本願の実施例において、ネットワークデバイスは、端末デバイスがランダムアクセス過程を行う時のランダムアクセス方式を指示し、端末デバイスがネットワークデバイスからの指示に応じて対応する方式のランダムアクセス過程を行ってもよい。
【００７６】
選択可能で、本願の実施例において、端末デバイスが高レイヤの指示情報に基づいてランダムアクセス方式を確定する。
【００７７】
例えば、アイドル状態にある端末デバイスがＲＲＣ接続確立を行う必要があり、ＮＡＳ（Ｎｏｎ−Ａｃｃｅｓｓ  Ｓｔｒａｔｕｍ）層は、２ステップのランダムアクセス過程を行う必要があることをＡＳ（Ａｃｃｅｓｓ Ｓｔｒａｔｕｍ）層に指示する場合、端末は、２ステップのランダムアクセス過程を行い、そうでない場合、４ステップのランダムアクセス過程を行う。
【００７８】
例えば、アイドル状態にある端末がＲＲＣ接続確立を行う必要があり、ＮＡＳ層は、ＡＳ層に伝送サービスのサービス情報を指示する場合、当該伝送のサービス情報に基づいて、ランダムアクセス方式を選択することができる。
【００７９】
選択可能で、本願の実施例において、前記端末デバイスは、
予め設定された多種のランダムアクセス方式、
ランダム関数、
前記端末デバイスのレベル情報、
前記端末デバイスの伝送サービスのサービス情報、
前記ランダムアクセス過程のトリガ要因、
前記端末デバイスとネットワークデバイスとの現在リンク品質値、
前記端末デバイスの現在の所在位置の情報、
前記端末デバイスの前記ランダムアクセスの実行時間、
前記端末デバイスの前記ランダムアクセス過程の実行に使用するリソース、
前記端末デバイスの前記ランダムアクセス過程の実行に使用する周波数領域リソースの所在の周波数帯、
前記端末デバイスのサポートする周波数帯、
前記端末デバイスの前記ランダムアクセス過程の実行に使用する基本パラメータセット、
過去のランダムアクセス過程の実行に使用するランダムアクセス方式、及び
過去のランダムアクセス過程の実行時に開始したタイマが満了するかどうかのうちの少なくとも１つの情報に基づいて、前記第１のランダム方式を確定する。
【００８０】
理解を容易にするため、以下、具体的な実現方式を参照し、第１のランダムアクセス方式をどのように確定するかを説明する。
【００８１】
１つの実現可能な方式において、端末デバイスが前記予め設定された多種のランダムアクセス方式から、第１のランダムアクセス方式を確定する。
【００８２】
ここで、当該予め設定された多種のランダムアクセス方式は、ネットワークデバイスが端末デバイスのために設定されたものであってもよい。又は、他の方式で構成されたものであってもよく、例えば、出荷又は初期化する際に構成されたものであってもよい。
【００８３】
実現可能な方式において、端末デバイスは、ランダム関数に基づいて第１の確率値を取得し、第１の対応関係及び第１の確率値に基づいて、第１のランダムアクセス方式を確定し、ここで、第１の対応関係は、少なくとも１つの確率範囲と少なくとも１つのランダムアクセス方式との対応関係を示す。
【００８４】
具体的に、ネットワークデバイスは、システム情報で端末デバイスの２つのステップのランダムアクセス過程及び／又は４つのステップのランダムアクセス過程の実行の確率範囲を設定する。端末デバイスは、ランダムアクセス過程を行う前に、ランダム関数を利用して確率値を取得し、当該確率値が所属する確率範囲に対応するランダムアクセス過程を選択することができる。なお、ネットワークデバイスは、２つのステップの又は４つのステップのランダムアクセス過程の確率範囲を設定し、ネットワークデバイスにより設定された確率範囲にある場合、対応するランダムアクセス過程を選択し、そうでない場合、他のランダムアクセス過程を選択する。
【００８５】
実現可能な方式において、端末デバイスは、ランダム関数に基づいて第２の確率値を取得し、第２の対応関係と第２の確率値と端末デバイスのレベル情報が示すレベルに基づいて、第１のランダムアクセス方式を確定し、ここで、第２の対応関係は、少なくとも１つの端末デバイスレベルと少なくとも１つの確率範囲と少なくとも１つのランダム方式との対応関係を示す。
【００８６】
具体的に、ネットワークデバイスがシステム情報を介して第２の対応関係を設定し、当該第２の対応関係は、各端末デバイスレベルに対応する確率範囲とランダムアクセス方式示し、例えば、端末デバイスレベルＡは、確率範囲が０−５０である場合、ランダムアクセス方式が２つのステップのランダムアクセス過程であり、確率範囲が５１−１００である場合、ランダムアクセス方式が４つのステップのランダムアクセス過程である。
【００８７】
なお、ネットワークデバイスは、ある端末レベルに対し、２つのステップの又は４つのステップのランダムアクセス過程の確率範囲のみを設定し、ネットワークデバイスにより設定された確率範囲にある場合、対応するランダムアクセス過程を選択し、そうでない場合、他のランダムアクセス過程を選択する。
【００８８】
実現可能な方式において、端末デバイスは、ランダム関数に基づいて第３の確率値を取得し、第３の対応関係、第３の確率値及び端末デバイスの伝送サービスのサービス情報が示すサービス品質レベルに基づいて、第１のランダムアクセス方式を確定し、ここで、第３の対応関係は、少なくとも１つのサービス品質レベルと少なくとも１つの確率範囲と少なくとも１つのランダム方式との対応関係を示す。
【００８９】
具体的に、ネットワークデバイスがシステム情報に第３の対応関係を設定し、当該第３の対応関係は、各サービス品質レベルに対応する確率範囲及びランダムアクセス方式を示し、例えば、サービス品質レベルＡに対し、確率範囲が０−５０である場合、ランダムアクセス方式が２つのステップのランダムアクセス過程であり、確率範囲が５１−１００である場合、ランダムアクセス方式が４つのステップのランダムアクセス過程である。
【００９０】
なお、ネットワークデバイスがある端末レベルに対し、２つのステップの又は４つのステップのランダムアクセス過程の確率範囲のみを設定し、ネットワークデバイスにより設定された確率範囲にある場合、対応するランダムアクセス過程を選択し、そうでない場合、他のランダムアクセス過程を選択する。
【００９１】
選択可能で、端末デバイスの伝送サービスのサービス情報は、
伝送サービスのサービス品質レベル、伝送サービスの遅延要求、伝送サービスのデータ量の大きさ、伝送サービスのサービスタイプ、伝送サービスのコールタイプ、伝送サービスが所属するベアラ、伝送サービスが所属するデータストリーム、伝送サービスが所属する論理チャンネルのうちの少なくとも１つを示す。
【００９２】
選択可能で、端末デバイスの伝送サービスのサービス情報は、ネットワークデバイスのページングメッセージに搬送される。
【００９３】
実現可能な方式において、端末デバイスは、伝送サービスのサービス品質レベル、伝送サービスの遅延要求、伝送サービスのデータ量の大きさ、伝送サービスのサービスタイプ、伝送サービスのコールタイプ、伝送サービスが所属するベアラ、伝送サービスが所属するデータストリーム及び伝送サービスが所属する論理チャンネルのうちの少なくとも１つと、第４の対応関係とに基づいて、第１のランダムアクセス方式を確定し、
ここで、第４の対応関係は、少なくとも１つのサービス品質レベル、少なくとも１つの遅延要求、少なくとも１つのデータ量範囲、少なくとも１つのサービスタイプ、少なくとも１つのコールタイプ、少なくとも１つのベアラ、少なくとも１つのデータストリーム及び少なくとも１つの論理チャネルのうちの少なくとも１つと、少なくとも１つのランダムアクセス方式との対応関係を示す。
【００９４】
例えば、端末デバイスは、ランダムアクセス過程を行う時に、現在のバッファーのデータ量の大きさを評価し、データ量がある閾値の以下である場合、２つのステップのランダムアクセス過程を行い、そうでない場合、４つのステップのランダムアクセス過程を行う。ここで、バッファーのデータ量は、層２のバッファーのデータ量、応用層のバッファーのデータ量、又は各層のバッファーのデータ量の総合である。閾値は、ネットワークにより構成され又は約定される。
【００９５】
なお、本願の実施例において、第４の対応関係は、伝送サービスの１種のサービス情報とランダムアクセス方式との対応関係、又は多種のサービス情報とランダムアクセス方式との対応関係である。
【００９６】
なお、本願の実施例において、ネットワークデバイスは、第４の対応関係を設定する時に、２つのステップのランダムアクセス過程又は４つのステップのランダムアクセス過程に対応するサービス情報のみを設定してもよく、端末デバイスの伝送サービスのサービス情報が予め設定されたサービス情報に属する場合、対応するランダムアクセス過程を選択し、そうでない場合、他のランダムアクセス過程を選択する。
【００９７】
実現可能な方式において、端末デバイスは、ランダムアクセス過程のトリガ要因及び第５の対応関係に基づいて、第１のランダムアクセス方式を確定し、ここで、第５の対応関係は、ランダムアクセス過程の少なくとも１つのトリガ要因と少なくとも１つのランダムアクセス方式との対応関係を示す。
【００９８】
選択可能で、本願の実施例において、ランダムアクセス過程のトリガ要因は、
端末デバイスが初期アクセスを要求すること、 
端末デバイスがアイドル状態から連続状態へ切り替えること、
端末デバイスが上り同期を要求すること、 
端末デバイスがネットワークデバイスに端末デバイス識別子を要求すること、
端末デバイスがネットワークデバイスにリソース請求を行うこと、 
端末デバイスがセルハンドオーバすること、
端末デバイスの無線リンク失敗が発生することのいずれかである。
【００９９】
実現可能な方式において、端末デバイスは、第６の対応関係、及び端末デバイスとネットワークデバイスとの現在リンク品質値に基づいて、第１のランダムアクセス方式を確定し、
ここで、第６の対応関係は、少なくとも１つのリンク品質値と少なくとも１つのランダムアクセス方式と対応関係を示す。
【０１００】
例えば、端末デバイスは、ランダムアクセス過程を行う必要がある時に、現在の下りリンク品質値を評価する。現在のリンク品質値が２つのステップのランダムアクセス過程の条件を満たした場合、２つのステップのランダムアクセス過程を行い、そうでない場合、４つのステップのランダムアクセス過程を行う。具体的に、２つのステップのランダムアクセスに対しリンク品質閾値を予め設定し、この閾値の以上である場合、２つのステップのランダムアクセス過程を行い、そうでない場合、４つのステップのランダムアクセス過程を行う。
【０１０１】
実現可能な方式において、端末デバイスは、第７の対応関係及び端末デバイスの現在の所在位置の情報が示す位置に基づいて、第１のランダムアクセス方式を確定し、
ここで、第７の対応関係は、少なくとも１つの位置と少なくとも１つのランダムアクセス方式との対応関係を示す。
【０１０２】
選択可能で、端末デバイスの現在の所在位置の情報は、前記端末デバイスの現在の所在するセル、トラッキングエリア、ページングエリア又はサービスエリアを示す。
【０１０３】
具体的に、ネットワークデバイスは、システム情報において２つのステップの及び／又は４つのステップのランダムアクセス過程に使用するセル、トラッキングエリア、ページングエリア又はサービスエリア（サービス提供エリア）を端末デバイスに送信し、又は、端末デバイスは、契約情報又はＮＡＳ層メッセージでコアネットワークからこの情報を取得する。
【０１０４】
実現可能な方式において、端末デバイスは、第８の対応関係及び端末デバイスのランダムアクセス過程の実行時間に基づいて、第１のランダムアクセス方式を確定し、
ここで、第８の対応関係は、少なくとも１つの時間範囲と少なくとも１つのランダムアクセス方式との対応関係を示す。
【０１０５】
ここで、各ランダムアクセス方式の時間範囲は、時間又は日を単位とし、例えば、毎日の０時−１２時に２つのステップのランダムアクセス過程を採用し、その他の時間帯に４つのステップのランダムアクセス過程を採用する。
【０１０６】
実現可能な方式において、端末デバイスは、第９の対応関係及び端末デバイスのランダムアクセス過程の実行に使用するリソースに基づいて、第１のランダムアクセス方式を確定し、
ここで、第９の対応関係は、少なくとも１つのリソース範囲と少なくとも１つのランダムアクセス方式との対応関係を示す。
【０１０７】
選択可能で、ランダムアクセス方式を確定するためのリソースは、時間領域、周波数領域、コード領域及び空間領域（例えば、ビーム）リソースの少なくとも１つである。
【０１０８】
選択可能で、ネットワークデバイスは、システム情報を介して当該第９の対応関係を設定することができる。
【０１０９】
実現可能な方式において、端末デバイスは、第１０の対応関係、及び端末デバイスのサポートする周波数帯又は端末デバイスのランダムアクセス過程の実行に使用するリソースの所在の周波数帯に基づいて、第１のランダムアクセス方式を確定し、
ここで、第１０の対応関係は、少なくとも１つの周波数帯と少なくとも１つのランダムアクセス方式との対応関係を示す。
【０１１０】
具体的に、ネットワークデバイスは、所定の周波数帯において使用可能な２つのステップの又は４つのステップのランダムアクセス過程を設定し、端末は、選択されたランダムアクセスの周波数帯又はサポートする周波数バンドに基づいて、対応するランダムアクセス過程を選択する。
【０１１１】
実現可能な方式において、端末デバイスは、第１１の対応関係及び端末デバイスのランダムアクセス過程の実行に使用する基本パラメータセットに基づいて、第１のランダムアクセス方式を確定し、
ここで、第１１の対応関係は、少なくとも１つの基本パラメータセットと少なくとも１つのランダムアクセス方式との対応関係を示す。
【０１１２】
本願の実施例の基本パラメータセットは、以下のパラメータの少なくとも１つを含み、
サブキャリア間隔、特定の帯域幅でのサブキャリア数、物理リソースブロックＰＲＢ内のサブキャリア数、直交周波数分割多重ＯＦＤＭ符号の長さ、ＯＦＤＭ信号の生成に使用されるフーリエ変換、例えば高速フーリエ変換（ＦＦＴ：Ｆａｓｔ  Ｆｏｕｒｉｅｒ  Ｔｒａｎｓｆｏｒｍ）、逆フーリエ変換、例えば高速逆フーリエ変換（ＩＦＦＴ：Ｉｎｖｅｒｓｅ  Ｆａｓｔ  Ｆｏｕｒｉｅｒ  Ｔｒａｎｓｆｏｒｍ）のポイント数、伝送時間間隔ＴＴＩ内のＯＦＤＭ符号数、特定時間内に含まれるＴＴＩの個数及び信号プレフィクスの長さである。
【０１１３】
ここで、サブキャリア間隔は、隣接するサブキャリアの周波数間隔、例えば、１５ｋＨｚ、６０ｋＨｚ等であり、特定の帯域幅でのサブキャリア数は、例えば各の可能なシステム帯域幅に対応するサブキャリア数であり、ＰＲＢに含まれるサブキャリア数は、典型的には、１２の整数倍であり、ＴＴＩに含まれるＯＦＤＭ符号の数は、典型的には、１４の整数倍であり、一定の時間ユニットに含まれるＴＴＩ数は、例えば、１ｍｓ又は１０ｍｓの時間に含まれるＴＴＩ数であり、信号プレフィクス長さは、例えば信号のサイクリックプレフィクスの時間長さ、又はサイクリックプレフィクスが通用ＣＰ又は拡張ＣＰを使用するか等である。
【０１１４】
具体的に、ネットワークデバイスは、２つのステップ又は４つのステップのランダムアクセス過程に使用するランダムアクセス過程を端末デバイスに設定し、端末は、選択された基本パラメータセットに基づいて、使用するランダムアクセス過程を確定する。
【０１１５】
実現可能な方式において、第２のランダムアクセス方式を利用して、ランダムアクセス過程を所定の回数で行っても成功にアクセスしない場合、端末デバイスは、第１のランダムアクセス方式を確定し、第１のランダムアクセス方式は、第２のランダムアクセス方式と異なる。
【０１１６】
具体的に、ネットワークデバイスは、２つのステップ又は４つのステップのランダムアクセス過程の最大再実行の回数Ｎを設定することができる。端末デバイスは、あるランダムアクセス過程をＮ回に実行しても成功にアクセスしない場合、他のランダムアクセス過程を採用する。ここで、Ｎ＞１であり、端末の１回目の送信を１とする。
【０１１７】
選択可能で、本願の実施例において、端末は、ネットワークにより設定又は約定された時間Ｔにおいて、前回のランダムアクセスと同じ又は異なるアクセス方式を選択する。
【０１１８】
実現可能な方式において、過去のランダムアクセス過程に開始した、ランダムアクセス方式を確定するためのタイマが満了しない場合、過去のランダムアクセス過程に使用したランダムアクセス方式を第１のランダムアクセス方式として確定し、又は、
過去のランダムアクセス過程に開始した、ランダムアクセス方式を確定するためのタイマが満了した場合、過去のランダムアクセス過程に使用したランダムアクセス方式と異なるランダムアクセス方式を第１のランダムアクセス方式として確定する。
【０１１９】
選択可能で、過去のランダムアクセス過程に開始した、ランダムアクセス過程を確定するためのタイマは、前回のランダムアクセス過程に開始したタイマであり、端末デバイスは、各ランダムアクセス過程においてランダムアクセス方式を確定するためのタイマを開始する。
【０１２０】
選択可能で、端末デバイスは、前回に開始した、ランダムアクセス過程を確定するためのタイマが満了した場合、次のランダムアクセス過程のランダムアクセス方式を確定するためのタイマを開始する。
【０１２１】
前記端末デバイスは、前回に開始した、ランダムアクセス方式を確定するためのタイマが満了したランダムアクセス過程において、次のランダムアクセス過程のランダムアクセス方式を確定するためのタイマを開始する。
【０１２２】
具体的に、端末デバイスは、開始したタイマが満了した後、ランダムアクセス過程を行う時にタイマを再度開始し、又は、ランダムアクセスが成功した場合、開始タイマを再度開始する。
【０１２３】
勿論、本願の実施例において、端末デバイスは、開始したタイマが満了した後、ランダムアクセスが失敗した時にタイマを開始してもよく、この場合、タイマが満了した場合、端末デバイスは、今回のランダムアクセス過程と異なるランダムアクセス方式を選択することができ、タイマが満了した場合、端末デバイスは、今回のランダムアクセス過程と同じランダムアクセス方式を選択することができる。
【０１２４】
選択可能で、本願の実施例において対応関係又は閾値などは、予め設定されたものであってもよく、例えば、ネットワークデバイスが端末デバイスのために設定されたものであってもよい。又は、他の方式で構成されたものであってもよく、例えば、出荷又は初期化する際に構成されたものであってもよい。
【０１２５】
選択可能で、本願の実施例において各種の対応関係又は閾値等は、ＮＡＳ層に予め設定されたものである。
【０１２６】
以上、端末デバイスがランダムアクセス過程を行う時にランダムアクセス方式を選択する実現方式を説明するが、本願の実施例はこれに限定しない。
【０１２７】
選択可能で、本願の実施例において、端末デバイスは、第１のランダムアクセス方式に設定されたリソース、又は第２のランダムアクセス方式に設定されたリソースを利用して、第１のランダムアクセス方式に従って、ランダムアクセス過程を実行する。
【０１２８】
具体的に、ネットワークデバイスは、システム情報を介して２つのステップ又は４つのステップのランダムアクセス過程に使用する時間領域、周波数領域、コード領域及び空間領域（例えば、ビーム）リソースを端末デバイスに設定し、端末は、ネットワークからのリソースに基づいて、２つのステップ又は４つのステップのランダムアクセス過程を行う。アクセスネットワークは、対応するリソース位置に基づいて、端末からのランダムアクセス過程を確定する。
【０１２９】
選択可能で、ネットワークは、実行２つのステップ又は４つのステップのランダムアクセスを実行する端末デバイスが他のランダムアクセス過程のランダムアクセスリソースをプリエンプトするように構成される。２つのステップ又は４つのステップのランダムアクセスを実行する端末は、４つのステップ又は２つのステップのランダムアクセス過程のリソースを使用する。
【０１３０】
図５は本願の実施例における端末デバイス５００のブロック図である。図５に示すように、当該端末デバイスは、確定ユニット５１０及び実行ユニット５２０を含む。ここで、確定ユニット５１０は、ランダムアクセスのための第１のランダムアクセス方式を確定するように構成され、実行ユニット５２０は、前記第１のランダムアクセス方式に従って、ランダムアクセス過程を実行するように構成される。
【０１３１】
選択可能で、異なるランダムアクセス方式を利用して実行するランダムアクセス過程において、送受信されるメッセージの数及び／又は送受信されるメッセージに含まれる情報は、異なる。
【０１３２】
選択可能で、前記第１のランダムアクセス方式を利用して実行する前記ランダムアクセス過程は、４つのステップのランダムアクセス過程、又は、２つのステップのランダムアクセス過程である。
【０１３３】
選択可能で、前記確定ユニット５１０は、さらに、
予め設定された多種のランダムアクセス方式、
ランダム関数、
前記端末デバイスのレベル情報、
前記端末デバイスの伝送サービスのサービス情報、
前記ランダムアクセス過程のトリガ要因、
前記端末デバイスとネットワークデバイスとの現在リンク品質値、
前記端末デバイスの現在の所在位置の情報、
前記端末デバイスの前記ランダムアクセスの実行時間、
前記端末デバイスの前記ランダムアクセス過程の実行に使用するリソース、
前記端末デバイスの前記ランダムアクセス過程の実行に使用する周波数領域リソースの所在の周波数帯、
前記端末デバイスのサポートする周波数帯、
前記端末デバイスの前記ランダムアクセス過程の実行に使用する基本パラメータセット、
過去のランダムアクセス過程の実行に使用するランダムアクセス方式、及び
過去のランダムアクセス過程の実行時に開始したタイマが満了するかどうかのうちの少なくとも１つの情報に基づいて、前記第１のランダム方式を確定するように構成される。
【０１３４】
選択可能で、前記確定ユニット５１０は、さらに、
前記予め設定された多種のランダムアクセス方式から、前記第１のランダムアクセスを確定するように構成される。
【０１３５】
選択可能で、前記確定ユニット５１０は、さらに、
前記ランダム関数に基づいて、第１の確率値を取得し、
第１の対応関係及び前記第１の確率値に基づいて、前記第１のランダムアクセス方式を確定するように構成され、ここで、前記第１の対応関係は、少なくとも１つの確率範囲と少なくとも１つのランダムアクセス方式との対応関係を示す。
【０１３６】
選択可能で、前記確定ユニット５１０は、さらに、
前記ランダム関数に基づいて、第２の確率値を取得し、
第２の対応関係、前記第２の確率値及び前記端末デバイスのレベル情報が示すレベルに基づいて、前記第１のランダムアクセス方式を確定するように構成され、ここで、前記第２の対応関係は、少なくとも１つの端末デバイスレベルと少なくとも１つの確率範囲と少なくとも１つのランダム方式との対応関係に用いられる。
【０１３７】
選択可能で、前記確定ユニット５１０は、さらに、
前記ランダム関数に基づいて、第３の確率値を取得し、
第３の対応関係、前記第３の確率値及び前記端末デバイスの伝送サービスのサービス情報が示すサービス品質レベルに基づいて、前記第１のランダムアクセス方式を確定するように構成され、ここで、前記第２の対応関係は、少なくとも１つのサービス品質レベルと少なくとも１つの確率範囲と少なくとも１つのランダム方式との対応関係を示す。
【０１３８】
選択可能で、前記端末デバイスの伝送サービスのサービス情報は、
前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム、前記伝送サービスが所属する論理チャンネルのうちの少なくとも１つを示す。
【０１３９】
選択可能で、前記端末デバイスの伝送サービスのサービス情報がネットワークデバイスのページングメッセージに搬送される。
【０１４０】
選択可能で、前記確定ユニット５１０は、さらに、
前記伝送サービスのサービス品質レベル、前記伝送サービスの遅延要求、前記伝送サービスのデータ量の大きさ、前記伝送サービスのサービスタイプ、前記伝送サービスのコールタイプ、前記伝送サービスが所属するベアラ、前記伝送サービスが所属するデータストリーム及び前記伝送サービスが所属する論理チャンネルのうちの少なくとも１つと、第４の対応関係とに基づいて、前記第１のランダムアクセス方式を確定するように構成され、
ここで、前記第４の対応関係は、少なくとも１つのサービス品質レベル、少なくとも１つの遅延要求、少なくとも１つのデータ量範囲、少なくとも１つのサービスタイプ、少なくとも１つのコールタイプ、少なくとも１つのベアラ、少なくとも１つのデータストリーム及び少なくとも１つの論理チャンネルのうちの少なくとも１つと、少なくとも１つのランダムアクセス方式との対応関係を示す。
【０１４１】
選択可能で、前記ランダムアクセス過程のトリガ要因は、
前記端末デバイスが初期アクセスを要求すること、 
前記端末デバイスがアイドル状態から連続状態へ切り替えること、
前記端末デバイスが上り同期を要求すること、 
前記端末デバイスがネットワークデバイスに端末デバイス識別子を要求すること、
前記端末デバイスがネットワークデバイスにリソース請求を行うこと、 
前記端末デバイスがセルハンドオーバすること、
前記端末デバイスの無線リンク失敗が発生することのいずれかである。
【０１４２】
選択可能で、前記確定ユニット５１０は、さらに、
前記ランダムアクセス過程のトリガ要因及び第５の対応関係に基づいて、前記第１のランダムアクセス方式を確定するように構成され、ここで、前記第５の対応関係は、ランダムアクセス過程の少なくとも１つのトリガ要因と少なくとも１つのランダムアクセス方式との対応関係を示す。
【０１４３】
選択可能で、前記確定ユニット５１０は、さらに、
第６の対応関係、及び前記端末デバイスとネットワークデバイスとの現在リンク品質値に基づいて、前記第１のランダムアクセス方式を確定するように構成され、
ここで、前記第６の対応関係は、少なくとも１つのリンク品質値と少なくとも１つのランダムアクセス方式との対応関係を示す。
【０１４４】
選択可能で、前記確定ユニット５１０は、さらに、
第７の対応関係及び前記端末デバイスの現在の所在位置の情報が示す位置に基づいて、前記第１のランダムアクセス方式を確定するように構成され、
ここで、前記第７の対応関係は、少なくとも１つの位置と少なくとも１つのランダムアクセス方式との対応関係を示す。
【０１４５】
選択可能で、前記端末デバイスの現在の所在位置の情報は、前記端末デバイスの現在所在するセル、トラッキングエリア、ページングエリア又はサービスエリアを示す。
【０１４６】
選択可能で、前記確定ユニット５１０は、さらに、
第８の対応関係及び前記端末デバイスの前記ランダムアクセスの実行時間に基づいて、前記第１のランダムアクセス方式を確定するように構成され、
ここで、前記第８の対応関係は、少なくとも１つの時間範囲と少なくとも１つのランダムアクセス方式との対応関係を示す。
【０１４７】
選択可能で、前記確定ユニット５１０は、さらに、
第９の対応関係及び前記端末デバイスの前記ランダムアクセス過程の実行に使用するリソースに基づいて、前記第１のランダムアクセス方式を確定するように構成され、
ここで、前記第９の対応関係は、少なくとも１つのリソース範囲と少なくとも１つのランダムアクセス方式との対応関係を示す。
【０１４８】
選択可能で、前記確定ユニット５１０は、さらに、
第１０の対応関係、及び前記端末デバイスのサポートする周波数帯又は前記端末デバイスの前記ランダムアクセス過程の実行に使用するリソースの所在の周波数帯に基づいて、前記第１のランダムアクセス方式を確定するように構成され、
ここで、前記第１０の対応関係は、少なくとも１つの周波数帯と少なくとも１つのランダムアクセス方式との対応関係を示す。
【０１４９】
選択可能で、前記確定ユニット５１０は、さらに、
第１１の対応関係及び前記端末デバイスの前記ランダムアクセス過程の実行に使用する基本パラメータセットに基づいて、前記第１のランダムアクセス方式を確定するように構成され、
ここで、前記第１１の対応関係は、少なくとも１つの基本パラメータセットと少なくとも１つのランダムアクセス方式との対応関係を示す。
【０１５０】
選択可能で、前記確定ユニット５１０は、さらに、
第２のランダムアクセス方式を利用してランダムアクセス過程を所定の回数に行っても成功にアクセスしない場合、前記端末デバイスが前記第１のランダムアクセス方式を確定するように構成され、前記第１のランダムアクセス方式は、前記第２のランダムアクセス方式と異なる。
【０１５１】
選択可能で、前記確定ユニット５１０は、さらに、
過去のランダムアクセス過程の実行に開始した、ランダムアクセス方式を確定するためのタイマが満了しない場合、前記過去のランダムアクセス過程に使用した同じランダムアクセス方式を前記第１のランダムアクセス方式として確定し、又は、
過去のランダムアクセス過程の実行に開始した、ランダムアクセス方式を確定するためのタイマが満了した場合、前記過去のランダムアクセス過程に使用したランダムアクセス方式と異なるランダムアクセス方式を前記第１のランダムアクセス方式として確定するように構成される。
【０１５２】
選択可能で、前記過去のランダムアクセス過程の実行に開始した、ランダムアクセス過程を確定するためのタイマは、前回のランダムアクセス過程に開始したタイマであり、前記確定ユニット５１０は、さらに、
各ランダムアクセス過程に前記ランダムアクセス方式を確定するためのタイマを開始するように構成される。
【０１５３】
選択可能で、前記確定ユニット５１０は、さらに、
前記端末デバイスが前回に開始したランダムアクセス方式を確定するためのタイマが満了したランダムアクセス過程において、次のランダムアクセス過程のランダムアクセス方式を確定するためのタイマが開始するように構成される。
【０１５４】
選択可能で、前記実行ユニット５２０は、さらに、
前記第１のランダムアクセス方式のために設定されたリソース、又は第２のランダムアクセス方式のために設定されたリソースを利用して、前記第１のランダムアクセス方式に従って、前記端末デバイスがランダムアクセス過程を実行するように構成される。
【０１５５】
なお、当該端末デバイス５００は、図２の方法２００を実行することができ、簡潔のため、ここで説明を省略する。
【０１５６】
図６は本願の実施例における端末デバイス６００のブロック図である。図６に示すように、当該デバイス６００は、プロセッサ６１０及びメモリ６２０を含む。ここで、当該メモリ６２０は、プログラムコードを記憶し、当該プロセッサ６１０は、当該メモリ６２０に記憶されたプログラムコードを実行する。
【０１５７】
選択可能で、図６に示すように、当該デバイス６００は、さらに、送受信機６３０を含み、プロセッサ６１０は、送受信機６３０と外部との通信を制御する。
【０１５８】
選択可能で、当該プロセッサ６１０は、メモリ６２０に記憶されたプログラムコードを実行して、図２の方法２００の端末デバイスに関連する操作を実行し、簡潔のため、ここで説明を省略する。
【０１５９】
図７は本願の実施例におけるシステムチップの構成図である。図７のシステムチップ７００は、入力インタフェース７０１、出力インタフェース７０２を含み、前記プロセッサ７０３とメモリ７０４とは、通信に接続され、前記プロセッサ７０３は、前記メモリ７０４内のコードを実行する。
【０１６０】
選択可能で、前記コードが実行される場合、前記プロセッサ７０３は、方法の実施例において端末デバイスが実行する方法を実現する。簡潔のため、ここで説明を省略する。
【０１６１】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１６２】
当業者は、簡潔にするために、上記のシステム、装置及びユニットの動作過程が上記の方法の実施例の過程を参照することができると理解すべきであり、ここで説明を省略する。
【０１６３】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを他のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインタフェース、装置、又はユニットの間接のカップリング又は通信によって接続されても良く、電気的、機械的、又はその他の形式であっても良い。
【０１６４】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１６５】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１６６】
前記機能は、ソフトウェア機能ユニットの方式で実現し、しかも独立した製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【図１】
0006946438.tif 000003
【図２】
0006946438.tif 000004
【図３】
0006946438.tif 000005
【図４】
0006946438.tif 000006
【図５】
0006946438.tif 000007
【図６】
0006946438.tif 000008
【図７】
0006946438.tif 000009